【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
通電可能な無鉄心の円筒コイルと前記円筒コイルの一方の端面を固定する蓋型マウントとを含むステータと、前記蓋型マウントに回転自在に対置されるカップ型マウントを含むロータとを備え、
前記蓋型マウントと前記カップ型マウントとの間にはエアギャップが形成され、
前記カップ型マウントはマグネットを備え、前記マグネットの外周面及び／又は内周面は前記エアギャップにおいて前記円筒コイルの内周面及び／又は外周面と対向し、
前記蓋型マウントは前記エアギャップに冷媒液を供給する経路を備え、
前記冷媒液の供給を制御する制御部と、前記ロータを駆動する駆動部と、が配備される、冷却しないときの定格を超える負荷で連続稼働するための無鉄心回転電気機械であって、
前記駆動部を作動し、冷却しないときの定格を超える負荷で連続稼働するときに、前記制御部を作動し、前記エアギャップに前記冷媒液を供給し、供給された前記冷媒液を発熱する前記円筒コイルが気化し、前記冷媒液の気化潜熱で前記円筒コイルを冷却し、前記円筒コイルが定格運転時の許容上限温度を超えないように前記冷媒液を供給する動作と、該動作によって前記円筒コイルが少なくとも前記冷媒液を気化する下限温度を下回らないように前記冷媒液の供給を止める動作と、を繰り返すことによって、前記冷媒液の供給を調整し、前記円筒コイルを前記許容上限温度と前記下限温度との範囲に維持して、冷却しないときの定格を超える負荷で連続稼働するようにしたことを特徴とする無鉄心回転電気機械。
【請求項２】
前記冷媒液が水であって、前記下限温度が１００℃で前記許容上限温度が１２５℃であることを特徴とする請求項１に記載された無鉄心回転電気機械。
【請求項３】
前記制御部は、前記円筒コイルの温度を検出するコイル温度検知センサと、前記エアギャップに前記冷媒液を供給するためのポンプと、前記コイル温度検知センサと連動して該ポンプに対するオン・オフ指令によって前記冷媒液の供給を調整するコントローラとを含むことを特徴とする請求項１または２のいずれかに記載された無鉄心回転電気機械。
【請求項４】
前記経路に連通する冷媒液容器がさらに配備されることを特徴とする請求項１から３のいずれかに記載された無鉄心回転電気機械。
【請求項５】
前記経路に連通する冷媒液容器がさらに配備され、
前記制御部は、前記円筒コイルの温度を検出するコイル温度検知センサと、前記円筒コイルより高い位置に配置された前記冷媒液容器から前記冷媒液を前記エアギャップに供給するための電磁弁と、前記コイル温度検知センサと連動して前記電磁弁に対する開閉指令によって前記冷媒液の供給を調整するコントローラとを含むことを特徴とする請求項１または２のいずれかに記載された無鉄心回転電気機械。
【請求項６】
前記蓋型マウントは、前記冷媒液容器と前記エアギャップとの間を連通する循環手段をさらに備えることを特徴とする請求項４または５のいずれかに記載された無鉄心回転電気機械。
【請求項７】
前記制御部は、前記循環手段により前記冷媒液の気相を前記冷媒液容器に液相で回収することを特徴とする請求項６に記載された無鉄心回転電気機械。
【請求項８】
前記ロータは、前記カップ型マウントの中心部に固定され、前記蓋型マウントの中心部に回転自在に連結される駆動シャフトをさらに含むことを特徴とする請求項１から７のいずれかに記載された無鉄心回転電気機械。
【請求項９】
前記円筒コイルは、絶縁層で覆われた軸方向に離間する線状部を有する導電性金属シートの積層体で円筒形に形成される請求項１から８のいずれかに記載された無鉄心回転電気機械。
【請求項１０】
前記円筒コイルは、絶縁層で覆われた線状導体で円筒形に形成される請求項１から８のいずれかに記載された無鉄心回転電気機械。
【請求項１１】
通電可能な無鉄心の円筒コイルと前記円筒コイルの一方の端面を固定する蓋型マウントとを含むステータと、前記蓋型マウントに回転自在に対置されるカップ型マウントを含むロータとを備え、
前記蓋型マウントと前記カップ型マウントとの間にはエアギャップが形成され、
前記カップ型マウントはマグネットを備え、前記マグネットの外周面及び／又は内周面は前記エアギャップにおいて前記円筒コイルの内周面及び／又は外周面と対向し、
前記蓋型マウントは前記エアギャップに冷媒液を供給する経路を備え、
前記冷媒液の供給を制御する制御部と、前記ロータを駆動する駆動部と、が配備される、冷却しないときの定格を超える負荷で連続稼働するための無鉄心回転電気機械の駆動方法であって、
前記駆動部を作動し、冷却しないときの定格を超える負荷で前記無鉄心回転電気機械を連続稼働する工程と、
前記制御部を作動し、前記エアギャップに前記冷媒液を供給し、供給された前記冷媒液を発熱する前記円筒コイルが気化し、前記冷媒液の気化潜熱で前記円筒コイルを冷却し、前記円筒コイルが定格運転時の許容上限温度を超えないように前記冷媒液を供給する動作と、該動作によって前記円筒コイルが少なくとも前記冷媒液を気化する下限温度を下回らないように前記冷媒液の供給を止める動作と、を繰り返すことによって、前記冷媒液の供給を調整し、前記円筒コイルを前記許容上限温度と前記下限温度との範囲に維持する工程と、
を含むことを特徴とする駆動方法。
【請求項１２】
前記冷媒液が水であって、前記下限温度が１００℃で前記許容上限温度が１２５℃であることを特徴とする請求項１１に記載された駆動方法。
【請求項１３】
前記制御部は、コイル温度検知センサと、前記エアギャップに前記冷媒液を供給するためのポンプと、前記ポンプに対するオン・オフ指令によって前記冷媒液の供給を調整するコントローラとを含み、
前記コイル温度検知センサを作動して前記円筒コイルの温度を検出する工程をさらに含み、
前記円筒コイルを前記許容上限温度と前記下限温度との範囲に維持する工程において前記冷媒液の供給を調整することは、前記コントローラが、検出された前記円筒コイルの温度に基づいて前記ポンプに対するオン・オフ指令をすることを含むことを特徴とする請求項１１または１２のいずれかに記載された駆動方法。
【請求項１４】
無鉄心回転電気機械は、前記経路に連通する冷媒液容器がさらに配備されることを特徴とする請求項１１から１３のいずれかに記載された駆動方法。
【請求項１５】
無鉄心回転電気機械は、前記経路に連通する冷媒液容器がさらに配備され、
前記制御部は、前記円筒コイルの温度を検出するコイル温度検知センサと、前記円筒コイルより高い位置に配置された前記冷媒液容器から前記冷媒液を前記エアギャップに供給するための電磁弁と、前記コイル温度検知センサと連動して前記電磁弁に対する開閉指令によって前記冷媒液の供給を調整するコントローラとを含み、
前記コイル温度検知センサを作動し、前記円筒コイルの温度を検出する工程をさらに含み、
前記円筒コイルを前記許容上限温度と前記下限温度との範囲に維持する工程において前記冷媒液の供給を調整することは、前記コントローラが、検出された前記円筒コイルの温度に基づいて前記電磁弁を作動することを含むことを特徴とする請求項１１または１２のいずれかに記載された駆動方法。
【請求項１６】
前記蓋型マウントは、前記冷媒液容器と前記エアギャップとの間を連通する循環手段をさらに備えることを特徴とする請求項１４または１５のいずれかに記載された駆動方法。
【請求項１７】
前記制御部が前記循環手段を作動し、前記冷媒液の気相を前記冷媒液容器に液相で回収する工程をさらに含むことを特徴とする請求項１６に記載された駆動方法。
【請求項１８】
前記ロータは、前記カップ型マウントの中心部に固定され、前記蓋型マウントの中心部に回転自在に連結される駆動シャフトをさらに含むことを特徴とする請求項１１から１７のいずれかに記載された駆動方法。
【請求項１９】
前記円筒コイルは、絶縁層で覆われた長手方向に離間する線状部を有する導電性金属シートの積層体で円筒形に形成される請求項１１から１８のいずれかに記載された駆動方法。
【請求項２０】
前記円筒コイルは、絶縁層で覆われた線状導体で円筒形に形成される請求項１１から１８のいずれかに記載された駆動方法。
【請求項２１】
通電可能な無鉄心の円筒コイルと前記円筒コイルの一方の端面を固定する蓋型マウントとを含むステータと、前記蓋型マウントに回転自在に対置されるカップ型マウントを含むロータとを備え、
前記蓋型マウントと前記カップ型マウントとの間にはエアギャップが形成され、
前記カップ型マウントはマグネットを備え、前記マグネットの外周面及び／又は内周面は前記エアギャップにおいて前記円筒コイルの内周面及び／又は外周面と対向し、
前記蓋型マウントは前記エアギャップに冷媒液を供給する経路を備える、
無鉄心回転電気機械と、前記回転電気機械を駆動する駆動装置と、前記ステータに配備されるコイル温度検知センサと連動して前記エアギャップに対する前記冷媒液の供給を制御する制御装置とを含む、冷却しないときの定格を超える負荷で無鉄心回転電気機械を連続稼働するための駆動システムであって、
前記駆動装置を作動し、冷却しないときの定格を超える負荷で前記無鉄心回転電気機械を連続稼働するときに、前記制御装置を作動し、前記エアギャップに前記冷媒液を供給し、供給された前記冷媒液を気化し、前記冷媒液の気化潜熱で前記円筒コイルを冷却し、前記円筒コイルが定格運転時の許容上限温度を超えないように前記冷媒液を供給する動作と、該動作によって前記円筒コイルが少なくとも前記冷媒液を気化する下限温度を下回らないように前記冷媒液の供給を止める動作と、を繰り返すことによって、前記冷媒液の供給を調整し、前記円筒コイルを前記許容上限温度と前記下限温度との範囲に維持して、冷却しないときの定格を超える負荷で連続稼働するようにしたことを特徴とする駆動システム。
【請求項２２】
前記冷媒液が水であって、前記下限温度が１００℃で前記許容上限温度が１２５℃であることを特徴とする請求項２１に記載された駆動システム。
【請求項２３】
前記制御装置は、前記エアギャップに前記冷媒液を供給するポンプと、該ポンプに対するオン・オフ指令によって前記冷媒液の供給を調整するコントローラとを含み、
前記コントローラは、検出された前記円筒コイルの温度に基づいて前記ポンプに対するオン・オフ指令をすることによって前記冷媒液の供給を調整するようにしたことを特徴とする請求項２１または２２のいずれかに記載された駆動システム。
【請求項２４】
前記経路に連通する冷媒液容器をさらに含むことを特徴とする請求項２１から２３のいずれかに記載された駆動システム。
【請求項２５】
前記経路に連通する冷媒液容器をさらに含み、
前記制御装置は、前記エアギャップに前記冷媒液を供給する電磁弁と、前記コイル温度検知センサと連動して前記電磁弁に対する開閉指令によって前記冷媒液の供給量を調整するコントローラとを含み、
前記コントローラは、検出された前記円筒コイルの温度に基づいて前記電磁弁を作動することによって前記冷媒液の供給を調整するようにしたことを特徴とすることを特徴とする請求項２１または２２のいずれかに記載された駆動システム。
【請求項２６】
前記冷媒液容器と前記エアギャップとの間を連通する循環手段をさらに含むことを特徴とする請求項２４または２５のいずれかに記載された駆動システム。
【請求項２７】
前記制御装置が、前記循環手段により前記冷媒液の気相を前記冷媒液容器に液相で回収することを特徴とする請求項２６に記載された駆動システム。
【請求項２８】
前記ロータは、前記円筒型マウントの中心部に固定され、前記蓋型マウントの中心部に回転自在に連結される駆動シャフトをさらに含むことを特徴とする請求項２１から２７のいずれかに記載された駆動システム。
【請求項２９】
前記円筒コイルは、絶縁層で覆われた長手方向に離間する線状部を有する導電性金属シートの積層体で円筒形に形成される請求項２１から２８のいずれかに記載された駆動システム。
【請求項３０】
前記円筒コイルは、絶縁層で覆われた線状導体で円筒形に形成される請求項２１から２８のいずれかに記載された駆動システム。